(57)【特許請求の範囲】
【請求項１】
竪樋を抱持する抱持具と、該抱持具を係着保持する支持具と、該支持具を建屋の外壁面に固定する台座とからなる竪樋控え具において、上記抱持具は、環状枠の一辺を切離して切開両側端部より各々係合片を突設してなり、上記支持具は、その前面部には上記抱持具の両係合片を各々受け入れる係合孔を具えると共に、その後面部には上記台座から突設した係止片並びに固定部を嵌着する開口部を設け、且つ、上記前面部と後面部の中間の外面に水切り部を付設したことを特徴とする竪樋控え具。
【請求項２】
竪樋を抱持する抱持具と、該抱持具を係着保持すると共に水切り部を付設した支持具と、該支持具を建屋の外壁面に固定する台座とからなる竪樋控え具において、上記支持具は略Ｕ字状をなし、その解放側の両側前面部に係合孔を、後面部に開口部を各々設けると共に、上記前面部と後面部の中間の外面に凸条水切り部を周設したことを特徴とする竪樋控え具。
【発明の詳細な説明】
【０００１】
【発明の属する技術分野】
本発明は竪樋控え具に係り、特に、建屋の外壁面からの出寸法に対応する支持具を具備した竪樋の控え具であって、外壁面への雨水の伝わりを遮断する水切り効果を図った竪樋控え具に関するものである。
【０００２】
【従来技術とその課題】
従来、竪樋を建屋の外壁面に沿って固定する控え具にあっては、竪樋を抱持する環状の抱持具と、該抱持具を軒先に固定するための台座とからなり、抱持具に形成した係合突子を台座に設けた係止孔に係着することにより、軒樋を支持する構造のものは知られている。
【０００３】
例えば、図４に展開斜視図で、また、図５に側面図で示す如く、竪樋Ａを抱持する抱持具ａとこれを建屋の外壁面Ｂに取付ける台座ｂとからなり、抱持具ａは環状枠の一部を切離し、この切離した両側端部ａ１，ａ１から外壁面Ｂ側に係合片ａ２，ａ２を突設し、該両係合片ａ２，ａ２の基端側に第１係合凸部ａ２１と先端部に第２係合凸部ａ２２とを各々外向きに設け、一方、上記台座ｂの竪樋Ａ側の面には両側壁寄りに上記係合片ａ２，ａ２を受入れる一対の係着孔ｂ１，ｂ１を設け、該係着孔ｂ１の内面には上記第１係合凸部ａ２１又は第２係合凸部ａ２２を係止し得る内向きの被係止凸部ｂ１１を設け、そして、上記一対の係着孔ｂ１の中間には軒先取付け孔ｂ２を穿設してなる竪樋控え具が知られている。
【０００４】
上記竪樋控え具は、竪樋Ａを建屋の外壁面Ｂに近づけ取付ける場合には、位置決め調整や取付け固定が簡単にできる点で好ましいが、外壁面Ｂからの出寸法が大きい場合、即ち上記竪樋控え具の台座ｂの竪樋Ａ側への立上りを大きくする必要がある場合には、該台座ｂを固定するための釘又はビスは長大なものが必要となり、これによって外壁面Ｂを形成するサイディング等を損傷し易く、また、竪樋Ａから伝わり落ちる雨水が竪樋控え具を通り外壁面Ｂに伝わって流れ落ちるために、該水濡れ個所の外壁面Ｂが汚染されたり苔が発生する等の弊害を生ずるものである。
【０００５】
【課題を解決するための手段】
本発明は上記課題を解決するためのものであって、その要旨は、竪樋を抱持する抱持具と、該抱持具を係着保持すると共に水切り部を付設した支持具と、該支持具を建屋の外壁面に固定する台座とからなる竪樋控え具であり、上記抱持具は、環状枠の一辺を切離して切開両側端部より各々係合片を突設してなり、上記支持具は、その前面部には上記抱持具の両係合片を各々受け入れる係合孔を具えると共に、その後面部には上記台座から突設した係止片並びに固定部を嵌着する開口部を設け、且つ、上記前面部と後面部の中間の外面に水切り部を付設したことを特徴とする竪樋控え具である。また、上記支持具は略Ｕ字状をなし、その解放側の両側前面部に係合孔を、後面部に開口部を各々設けると共に、上記前面部と後面部の中間の外面に凸条水切り部を周設したことを特徴とする竪樋控え具である。
【０００６】
【発明の実施の形態】
以下、本発明の実施例を図面に基づいて具体的に説明する。
図１は、本発明を展開斜視図で示し、図２は、本発明の取付け状態を水平断面図で示し、図３は、本発明の建屋外壁面への取付け状態を側面図で示す。
【０００７】
本発明は、上記各図に示す如く、竪樋Ｘを抱持する抱持具１と、該抱持具１を係着保持すると共に水切り部２４を付設した支持具２と、該支持具２を建屋の外壁面Ｙに固定する台座３とからなる竪樋控え具である。
【０００８】
また、竪樋Ｘを抱持する抱持具１と、該抱持具１を係着保持する支持具２と、該支持具２を建屋の外壁面Ｙに固定する台座３とからなる竪樋控え具において、上記抱持具１は、環状枠１−１の一辺を切離して切開両側端部１１，１１より各々係合片１２を突設してなり、上記支持具２は、その前面部２１には上記抱持具１の両係合片１２，１２を各々受け入れる係合孔２１１を具えると共に、その後面部２２には上記台座３から突設した係止片３３並びに固定部３２を嵌着する開口部２３を設け、且つ、前面部２１と後面部２２の中間の外面に水切り部２４を付設したことを特徴とするものである。
【０００９】
また、支持具２は略Ｕ字状をなし、その解放側の両側部の前面に係合孔２１１，２１１を、後面部２２には上記台座３の両側部から突設した係止片３３並びに固定部３２を嵌着する開口部２３を各々設けると共に、上記前面部２１と後面部２２の中間の外面に凸条水切り部２４を周設したことを特徴とするものである。
【００１０】
上記竪樋Ｘを抱持する抱持具１と、建屋の外壁面Ｙに固定する台座３間を仲介連結する支持具２に水切り部２４を付設した本発明の竪樋控え具によって、竪樋Ｘが外壁面Ｙから出寸法を大きくとって取付けられる場合であっても、出寸法に合わせて支持具２を大きくし、一方、台座３の立上り高さを低くして比較的短小な釘又はビスを用いて固定すれば、外壁面Ｙを形成するサイディング等を損傷することがなく、且つ、竪樋Ｘの外表面から伝わる雨水を台座３に至る前に遮断でき、さらに外壁面Ｙへ至る前に遮断することができるので、外壁面Ｙの汚染や苔の発生を防止することができるものである。
【００１１】
【実施例】
図１に展開斜視図で、また、図２に水平断面図で示す如く、本発明の竪樋控え具は、支持具２と該支持具２の前面部２１に係着する抱持具１と後面部２２に係着する台座３とからなり、上記支持具２は略Ｕ字状の二股構造をなし、その解放側の両側前面部２１，２１に各々係合孔２１１を設けると共に、両側壁には掛止孔２１２を穿設し、且つ、後面部２２には開口部２３を設けると共に、前面部２１と後面部２２の中間の外面には凸条水切り部２４を周設してある。
【００１２】
上記支持具２の形状を略Ｕ字状の二股構造とすることにより天面面積がより少なくなるので、竪樋Ｘ側から伝わる雨水の量が削減されて好ましく、また、支持具２の外面に周設する凸条水切り部２４は、図示したものは断面が四角形状をなすものであるが、そのほか断面は三角形状或いは円弧形状など何れであってもよい。
【００１３】
また、上記支持具２の前面部２１に係着する抱持具１は、環状枠１−１の一辺を切離して切開両側端部１１，１１より各々係合片１２を突設し、該両係合片１２，１２の基端側に第１係合凸部１３を、先端側に第２係合凸部１４を各々外向きに突設してある。
【００１４】
そして、上記支持具２の後面部２２に係着する台座３は、座板３１の前面両側部に係止片３３を突設し、該係止片３３，３３の相互間に固定部３２が設けられ、該固定部３２には、台座３を釘４とビス５で外壁面Ｙに固定するための釘止孔３２１とビス止孔３２２が各々穿設されている。
【００１５】
上記本発明を用いて取付け施工するには、先ず、建屋の外壁面Ｙの所定個所に台座３の座板３１を当接し、固定部３２に穿設した釘止孔３２１へ釘４を通して打込むと共に、ビス止孔３２２へビス５を通し締着して台座３を外壁面Ｙに固定する。
次いで、支持具２の後面部２２の開口部２３へ、外壁面Ｙに固定した台座３の固定部３２並びに係止片３３を共に嵌挿して、弾発付勢された係止片３３，３３を支持具２の後面部２２に穿設した掛止孔２２１に係着する。
【００１６】
そして、竪樋Ｘを環状枠１−１に抱持した抱持具１の両係合片１２，１２を、支持具２の略Ｕ字状構造をなす前面部２１の係合孔２１１に挿入して、両係合片１２，１２に突設した第１係合凸部１３を、前面部２１の両側壁に穿設した掛止孔２１２に係着して、抱持具１を支持具２に取付けることができ、このようにして、建屋の外壁面Ｙから所定の出寸法ｔを保って竪樋Ｘを取付け施工することができる。
【００１７】
上記本発明の大きな特徴は、竪樋Ｘを抱持する抱持具１と建屋の外壁面Ｙに固定する台座３間を仲介連結する支持具２に凸条水切り部２４を周設したので、図３に側面図で示す如く、竪樋Ｘの外面から矢印方向に伝わる雨水を台座３に至る前に、さらに外壁面Ｙへ至る前に支持具２の水切り部２４で遮断して落下させることができ、外壁面Ｙの汚染や苔の発生を防止することができる。
【００１８】
また、外壁面Ｙからの出寸法ｔを大きくとって竪樋Ｘを取付ける場合であっても、支持具２の長さにより出寸法ｔをカバーすることができるので、竪樋Ｘ側への立上りの少ない台座３を用い比較的短小な釘４又はビス５を使用して外壁面Ｙに固定することができ、外壁面Ｙを形成するサイディング等を損傷することがなくなる。
なお、支持具２には凸条水切り部２４を周設してあると共に、台座３の固定部３２が支持具２の開口部２３に嵌入して覆われるようにすれば、釘４やビス５の経時的な錆付きを防止する効果も得られる。
【００１９】
【発明の効果】
本発明は上記構成よりなるので下記効果を奏する。
即ち、本発明により、竪樋の外表面から伝わる雨水を台座に至る前に、さらに建屋の外壁面へ至る前に遮断することができるので、外壁面の汚染や苔の発生を防止することができると共に、外壁面からの出寸法を大きくとって竪樋を取付ける場合であっても、竪樋側への立上りの少ない台座を用いて比較的短小な釘又はビスにより固定しておき、支持具の長さにより出寸法をカバーすることができるので、外壁面を形成するサイディング等を損傷することがなくなるものであり、また、台座の固定部が支持具の開口部に嵌入して覆われるようにすれば、釘やビスの経時的な錆付きがなくなり取付け強度の劣化を防止することもできる。
【図面の簡単な説明】
【図１】本発明を展開斜視図で示す。
【図２】本発明の取付け状態を水平断面図で示す。
【図３】本発明の建屋外壁面への取付け状態を側面図で示す。
【図４】従来例を展開斜視図で示す。
【図５】従来の竪樋控え具の建屋外壁面への取付け状態を側面図で示す。
【符号の説明】
１      抱持具
１−１  環状枠
１１    側端部
１２    係合片
１３    第１係合凸部
１４    第２係合凸部
２      支持具
２１    前面部
２１１  係合孔
２１２  掛止孔
２２    後面部
２２１  掛止孔
２３    開口部
２４    凸条水切り部
３      台座
３１    座板
３２    固定部
３２１  釘止孔
３２２  ビス止孔
３３    係止片
４      釘
５      ビス
Ｘ      竪樋
Ｙ      外壁面
ｔ      出寸法
【図１】
0003586040.tif 000002
【図２】
0003586040.tif 000003
【図３】
0003586040.tif 000004
【図４】
0003586040.tif 000005
【図５】
0003586040.tif 000006